(57)【特許請求の範囲】
【請求項１】
加速器で生成した粒子線ビームを外部に輸送する主ラインと、
前記主ラインから分岐している分岐ラインと、
前記分岐ラインの末端に設けた前記粒子線ビームを患者に照射する照射装置を備え、
前記主ライン及び前記分岐ラインの一部または全部が複数のセグメントから構成され、
前記セグメントの各々は、構成する機器及びこれら機器の配置が共通化され、これら機器のうち少なくとも第一の偏向電磁石、収束電磁石、第二の偏向電磁石がこの順番で配置されており、
さらに前記第一の偏向電磁石、前記収束電磁石、前記第二の偏向電磁石の配置の上下流にも前記収束電磁石が配置されており、
前記収束電磁石は、通過する前記粒子線ビームの外径を磁場の作用で収束するものであり、
前記偏向電磁石は、通過する前記粒子線ビームの進行方向を磁場の作用で曲げるものであり、
前記セグメントの両端における前記粒子線ビームのビーム特性が略同一であることを特徴とする粒子線ビーム輸送システム。
【請求項２】
前記セグメントの両端において、通過する前記粒子線ビームの直交方向におけるベータトロン関数が等しいことを特徴とする請求項１に記載の粒子線ビーム輸送システム。
【請求項３】
前記セグメントの最上流または最下流にビーム計測手段を備えることを特徴とする請求項１乃至２に記載の粒子線ビーム輸送システム。
【請求項４】
前記セグメントにビーム軌道補正用電磁石を備えることを特徴とする請求項１乃至３に記載の粒子線ビーム輸送システム。
【請求項５】
前記加速器と前記加速器と直近の前記セグメントとの間の前記主ライン上に、通過する前記粒子線ビームを多重散乱させる散乱体が設けられ、前記セグメントの両端における前記粒子線ビームの断面形状が略円形となるように調整されることを特徴とする請求項１乃至４に記載の粒子線ビーム輸送システム。
【請求項６】
前記セグメントの両端における前記粒子線ビームの位相差が１８０度の整数倍となるように調整されることを特徴とする請求項１乃至５に記載の粒子線ビーム輸送システム。
【請求項７】
前記セグメントが前記分岐ラインの最終端を構成し、前記照射装置と接続されることを特徴とする請求項１乃至６に記載の粒子線ビーム輸送システム。
【請求項８】
加速器で生成した粒子線ビームを外部に輸送する主ラインと、前記主ラインから分岐している分岐ラインと、前記分岐ラインの末端に設けた前記粒子線ビームを患者に照射する照射装置を備える粒子線ビーム輸送システムのために複数個連結して用いられる粒子線ビーム輸送システムのセグメントであって、
前記セグメントの各々は、構成する機器及びこれら機器の配置が共通化され、これら機器のうち少なくとも第一の偏向電磁石、収束電磁石、第二の偏向電磁石がこの順番で配置されており、
さらに前記第一の偏向電磁石、前記収束電磁石、前記第二の偏向電磁石の配置の上下流にも前記収束電磁石が配置されており、
前記収束電磁石は、通過する前記粒子線ビームの外径を磁場の作用で収束するものであり、
前記偏向電磁石は、通過する前記粒子線ビームの進行方向を磁場の作用で曲げるものであり、
前記粒子線ビームが入射される入口部と、前記入口部から入射された前記粒子線ビームが進行する通路部と、前記通路部を進行した前記粒子線ビームが出射される出口部とを備え、前記入口部と前記出口部とにおける前記粒子線ビームのビーム特性が略同一となるよう複数の磁石が配置されたことを特徴とする粒子線ビーム輸送システムのセグメント。
【発明の詳細な説明】
【技術分野】
【０００１】
本発明の実施形態は、加速器から治療室の照射装置へ粒子線ビームを輸送する粒子線ビーム輸送システム、及びそのセグメントに関する。
【背景技術】
【０００２】
炭素イオン等の粒子線ビームを、患者の病巣組織（がん）に照射して、治療を行う粒子線治療技術が広く知られている。
この粒子線治療技術によれば、正常組織にダメージを与えず、病巣組織のみをピンポイントで死滅させることができるため、手術や投薬治療等に比べ、患者への負担が少なく、治療後の社会復帰の早期化も期待できる。
このため、粒子線治療への関心が高まり、治療を希望する患者数の増加に対応するため、治療施設の増設が要望されている。
【０００３】
粒子線治療施設は、粒子線ビームを生成する加速器を含めた大規模なものであるために、治療コストの削減と治療スループットの向上とを目的とし、治療室を複数設け、それぞれの治療室に粒子線ビーム輸送システムを分岐接続させることが検討されている。
【０００４】
粒子線治療施設に治療室を複数設ける場合、これら治療室を、加速器の略円形の延長面に対し水平方向に配置する場合の他に、この延長面に対し垂直方向に配置する場合もある。そして、粒子線ビーム輸送システムは、加速器で生成した粒子線ビームを外部に輸送する主ラインを有し、さらにこの主ラインから分岐してそれぞれの治療室に粒子線ビームを導入する分岐ラインを有している。
【先行技術文献】
【特許文献】
【０００５】
【特許文献１】特許第４６３９４０１号公報
【特許文献２】特開平１１−１７６５９９号公報
【発明の概要】
【発明が解決しようとする課題】
【０００６】
上述のように異なる位置に配置された複数の治療室に粒子線ビームを導入させるとなると、これら治療室のレイアウトにあわせ、粒子線ビームを輸送するラインを延伸し、分岐し、屈曲させる必要にせまられる。
粒子線ビームを輸送するラインには、粒子線ビームの進行方向を制御する偏向電磁石及び収束電磁石が設けられている。
そして、ラインを通過するビーム中の荷電粒子の分布は一定でなく、その断面形状は、経時的に変化しており、ベータトロン振動と呼ばれる一定周期の振動をしている。
このため、粒子線ビームを輸送するラインは、通過するビームの断面形状に応じた設計仕様が要求されるために、ライン長が長く、あるいは分岐が増えるほど、ビームライン設計や現地調整にかかる時間が指数関数的に増大し、建設期間及びコストの増大を招いてしまう。
【０００７】
また、加速器から取り出された直後の粒子線ビームの断面形状は、取り出し条件やビームエネルギーに依存して変化するが、ほとんどの場合扁平形状を有している。
扁平形状の粒子線ビームを、扁平断面の長軸を含む面内で曲げようとする場合、ローレンツ力を発生させる磁場を、扁平断面の短軸方向から付与することになる。または、この粒子線ビームを、扁平断面の短軸を含む面内で曲げようとする場合、扁平断面の長軸方向から磁場を付与することになる。
【０００８】
一方で、偏向電磁石を構成する一対の磁極の対向間隔は、通過させる粒子線ビームの幅に応じて決定される。一般に、磁極の間隔が広がるにつれ、磁場強度は低下することから、扁平断面の粒子線ビームを輸送する場合、曲げる方向によって効率的に磁場を発生させる偏向電磁石及びその制御の仕様が異なり、細分化されやすい。このことは、粒子線ビームの輸送ラインの分岐の多いシステムにとって、機器の設計製作や現地調整をさらに煩雑にさせる。
【０００９】
本発明の実施形態はこのような事情を考慮してなされたもので、粒子線ビームの照射装置を収容する治療室が複数設けられた粒子線治療施設において、高品質なビームを容易に任意の場所へ輸送することを可能とすることで、ビームライン設計や機器の設計製作、現地調整、並びに増改築を容易にし、建設期間及びコストの抑制に寄与する粒子線ビーム輸送システム、及びそのセグメントを提供することを目的とする。
【課題を解決するための手段】
【００１０】
本実施形態に係る粒子線ビーム輸送システムは、加速器で生成した粒子線ビームを外部に輸送する主ラインと、前記主ラインから分岐している分岐ラインと、前記分岐ラインの末端に設けた前記粒子線ビームを患者に照射する照射装置を備え、前記主ライン及び前記分岐ラインの一部または全部が複数のセグメントから構成され、前記セグメントの各々は構成する機器及びこれら機器の配置が共通化され、これら機器のうち少なくとも第一の偏向電磁石、収束電磁石、第二の偏向電磁石がこの順番で配置されており、さらに前記第一の偏向電磁石、前記収束電磁石、前記第二の偏向電磁石の配置の上下流にも前記収束電磁石が配置されており、前記収束電磁石は通過する前記粒子線ビームの外径を磁場の作用で収束するものであり、前記偏向電磁石は通過する前記粒子線ビームの進行方向を磁場の作用で曲げるものであり、前記セグメントの両端における前記粒子線ビーム特性が略同一であることを特徴とする。
また、本実施形態に係る粒子線ビーム輸送システムのセグメントは、加速器で生成した粒子線ビームを外部に輸送する主ラインと、前記主ラインから分岐している分岐ラインと、前記分岐ラインの末端に設けた前記粒子線ビームを患者に照射する照射装置を備える粒子線ビーム輸送システムのために複数個連結して用いられるものであって、前記セグメントの各々は構成する機器及びこれら機器の配置が共通化され、これら機器のうち少なくとも第一の偏向電磁石、収束電磁石、第二の偏向電磁石がこの順番で配置されており、さらに前記第一の偏向電磁石、前記収束電磁石、前記第二の偏向電磁石の配置の上下流にも前記収束電磁石が配置されており、前記収束電磁石は通過する前記粒子線ビームの外径を磁場の作用で収束するものであり、前記偏向電磁石は通過する前記粒子線ビームの進行方向を磁場の作用で曲げるものであり、前記粒子線ビームが入射される入口部と、前記入口部から入射された前記粒子線ビームが進行する通路部と、前記通路部を進行した前記粒子線ビームが出射される出口部とを備え、前記入口部と前記出口部とにおける前記粒子線ビームのビーム特性が略同一となるよう複数の磁石が配置されたことを特徴とする。
【発明の効果】
【００１１】
本発明の実施形態により、粒子線ビームの照射装置を収容する治療室が複数設けられた粒子線治療施設において、高品質なビームを容易に任意の場所へ輸送することを可能とすることで、ビームライン設計や機器の設計製作、現地調整、並びに増改築を容易にし、建設期間及びコストの抑制に寄与する粒子線ビーム輸送システム、及びそのセグメントが提供される。
【図面の簡単な説明】
【００１２】
【図１】本発明の実施形態に係る粒子線ビーム輸送システムの、加速器を平面視する方向からの外観図。
【図２】実施形態に係る粒子線ビーム輸送システムの、加速器を側面視する方向でかつガントリ式照射装置の回転軸に沿う方向からの外観図。
【図３】実施形態に係る粒子線ビーム輸送システムの、加速器を側面視する方向でかつガントリ式照射装置の回転軸に直交する方向からの外観図。
【図４】粒子線ビームとその断面形状の観測図。
【図５】実施形態に係る粒子線ビーム輸送システムを構成するセグメントの外観図。
【図６】セグメントの位置における粒子線ビームのパラメータを、互いに直交する二方向（ｘ方向、ｙ方向）において示したグラフ。
【図７】収束電磁石をビーム軸と直交する面（ｘ−ｙ平面）で切断した断面図。
【図８】粒子線ビームを患者に照射するガントリ式照射装置を示す縦断面図。
【発明を実施するための形態】
【００１３】
以下、本発明の実施形態に係る粒子線ビーム輸送システムを添付図面に基づいて説明する。なお、図面において空間を、加速器１３の面を含むｕ−ｖ平面に対し、その直交方向をｗ方向とする三次元座標系で表している。さらに、粒子線ビームの進行方向をｓ方向、このｓ方向に対し相互に直交する方向をｘ方向及びｙ方向と定義する。
【００１４】
図１から図３に示すように、粒子線ビーム輸送システム１０は、通過する粒子線ビームの外径を磁場の作用で収束させる収束電磁石１１と、通過する粒子線ビームの進行方向を磁場の作用で曲げる偏向電磁石１２と、加速器１３で生成した粒子線ビームを外部に輸送する主ライン２１と、この主ライン２１から分岐して粒子線ビームを患者に照射する照射装置３０（３０ａ〜３０ｅ）が末端に設けられている分岐ライン２２と、を備え、主ライン２１及び分岐ライン２２は、収束電磁石１１及び偏向電磁石１２の配置を共通化した二つ以上のセグメント２０（２０ａ〜２０ｅ，２０ｐ，２０ｑ）から構成され、各々のセグメント２０における機器配置は、セグメント入口部での粒子線ビームとセグメント出口部での粒子線ビームとを同一の特性とすることが出来る機器構成となっており、さらに粒子線ビーム輸送システム１０は、加速器１３に直近のセグメント２０ａの上流に、通過する粒子線ビームを多重散乱させる散乱体１５が設けられ両端における粒子線ビームの断面が略円形となるようになされている。ここで粒子線ビームの特性とは、粒子線ビームの状態を表す物理量であり、具体的にはベータトロン関数βやα関数、ディスパージョンやその変化率、エミッタンス等を意味する。
【００１５】
主ライン２１及び分岐ライン２２は、粒子線ビームを通過させるのに充分な真空度を有する密閉された連続空間である。
【００１６】
加速器１３は、シンクロトロン等であって、イオン発生源（図示略）で発生させたＣ6+等の荷電粒子を光速の７０〜８０％程度まで加速して生成した粒子線ビームを、出射デフレクタ１４から主ライン２１に出射させるものである。
粒子線ビームは、患者の体内を通過する際に運動エネルギーを失って速度を低下させるとともに、速度の二乗にほぼ反比例する抵抗を受けてある一定の速度まで低下すると急激に停止する。そして、粒子線ビームの停止点近傍では、ブラッグピークと呼ばれる高エネルギーが放出される。
粒子線治療技術は、このブラッグピークを患者の患部に合わせることにより、正常な組織の障害を少なくしつつ治療を行うものである。
【００１７】
ところで、加速器１３から出射された粒子線ビームは、進行方向に対し垂直な断面における荷電粒子の分布が均一でなく、さらにベータトロン振動と呼ばれる一定周期の振動をしており、そのためビームの特性が変化し、観測される断面形状がビーム進行方向に対して変化する。これまでは、上記粒子線ビームを効率的に制御するために、そのビーム特性に合わせて機器を設計・製作・配置、制御していたため、仕様・制御が細分化し機器種別の増加と共に現地調整作業が煩雑となる課題があったが、これを次のように解決している。
【００１８】
図４に示すように、断面形状４２とは、粒子線ビーム４１の進行方向ｓに対して垂直なｘ−ｙ平面におけるビームの広がりを示すものである。
そして、断面形状４２は、ビームの進行方向ｓにスクリーンモニタ４３を配置して、面内におけるビームの強度分布等を検出することにより観測することができる。
【００１９】
図５に示すようにセグメント２０は、収束電磁石１１、偏向電磁石１２、軌道補正用電磁石（図示略）、スクリーンモニタ４３、真空ダクト（図示略）から構成される。さらにセグメント２０は、その両端における粒子線ビームの特性および断面形状がほぼ同一となるように各機器の順序、配置位置、配置角度が決定されている。また、セグメント内の最下流に配置したスクリーンモニタ４３により、セグメントごとにビーム調整を行う。
実施形態に示すセグメント２０は、粒子線ビームを進行方向に対し９０°曲げて輸送する機能を有している。また、その両端における粒子線ビームの断面形状は略円形である。
【００２０】
よって複数のセグメント２０を繋ぎ合わせることにより、ビームラインの長さや分岐数を気にすることなく、ビームラインの新規設計なしに容易に粒子線ビームの軌道を水平方向及び鉛直方向に多段偏向させることができる。これにより粒子線ビームを、加速器１３と同じ高さレベルに配置した複数の照射装置３０（３０ａ，３０ｂ，３０ｃ）や、異なる高さレベルに配置した複数の照射装置３０（３０ｄ，３０ｅ）に自在に輸送することができる。また、セグメントの構成機器が共通であるため、機器の種類が少なくて済み、管理が容易で、量産効果によるコスト低減も見込める。
【００２１】
さらに、セグメントごとに現地調整を実施できるため、アライメント調整やビーム調整にかかる時間が短縮され、初期据付時だけでなく、トラブル等による機器交換時の作業性も向上する。特に、ビームラインが長く、分岐が多岐にわたるほどその効果が大きくなる。各機器には製作誤差や据付誤差等があるため、現地調整によりセグメントを構成する機器の配置や出力をセグメント毎に微調整し、粒子線ビームの特性および断面形状を設計値と一致させる。
【００２２】
セグメント２０は、主ライン２１及び分岐ライン２２の、一部、あるいは全部を構成する。なお、実施形態において、示したセグメント２０の配置パターンは一つであるが、複数の配置パターンのセグメントを組み合わせて粒子線ビーム輸送システム１０を構成してもよい。例えば、粒子線ビームを進行方向に対し４５°曲げて輸送する機能を有するセグメントを組み合わせれば、垂直方向からのものに代えて、斜め上方向から粒子線ビームを患者に照射することも可能である。
【００２３】
ここで、粒子線ビームの断面形状の制御方法について説明する。
偏向電磁石１２は、通過する粒子線ビームの進行方向を磁場の作用で曲げて、軌道を円弧状にすることができる。そして、偏向電磁石１２を通過した粒子線ビームを、接線方向に直進させる。
【００２４】
図７に示すように、収束電磁石１１は、略リング状の継鉄５１と、この継鉄５１から内側に等角度で一体に突設された４個の磁心５２と、この磁心５２に個別に巻装した励磁コイル５３と、から構成され、継鉄５１内部のギャップには、実線の矢印で示した磁場が生じている。なお実施形態において、収束電磁石１１として４極電磁石を例示しているが、構成に限定はない。
【００２５】
輸送される粒子線ビームにおいて、ｘ軸上のｑ１に位置する荷電粒子に対しては、内周方向へのローレンツ力が働く一方で、ｙ軸上のｑ２に位置する荷電粒子に対しては、外周方向へのローレンツ力が働く。すなわち、収束電磁石１１は、粒子線ビームをｘ軸方向に収束させ、ｙ軸方向に発散させる。
【００２６】
そして、ビームを収束・発散させる強さは、励磁コイル５３に印加される直流電流の強度により制御することができる。
また、励磁コイル５３に印加される直流電流の向きを逆にして、形成される磁場の向きを逆にすることによって、ビームの収束・発散させる方向を逆転させることができる。
実施形態で複数配列されている収束電磁石１１は、ビームをｘ方向に収束させるものと、ｙ方向に収束させるものとを交互に配置し、さらに各々印加する直流電流を制御して、ｘ方向とｙ方向への収束と発散のバランスを順次調整することで、ビーム径を所望の値に調整する。
【００２７】
図６のグラフは、セグメント２０を構成する収束電磁石１１及び偏向電磁石１２を直線上に展開し、このセグメント２０の位置ｓにおける粒子線ビームのベータトロン関数βを、互いに直交する二方向（ｘ方向、ｙ方向）において示している。
【００２８】
ベータトロン関数βは、粒子線ビームの外径に関するパラメータである。粒子線ビームとの衝突を避けるため偏向電磁石を構成する一対の磁極の対向間隔とビームの外径は密接な関係がある。磁極の間隔を広げず効率的に磁場を発生させるために、ベータトロン関数βは１００ｍ以下程度まで小さく抑える。
【００２９】
本実施形態のセグメント２０では、通過する粒子線ビームの直交方向（ｘ、ｙ）におけるベータトロン関数β（βx，βy）が、上流側の末端と下流側の末端で等しくなるように各機器の順序、配置位置、配置角度、等が決定されている。ここでは、偏向前後でディスパージョンを変化させないように第一の偏向電磁石、四極電磁石、第二の偏向電磁石の順で対称に配置され、その上下流には、ｘ方向、ｙ方向のベータトロン関数を制御する四極電磁石がそれぞれ２つ配置される。
【００３０】
この機器配置は実施形態によってさまざまな改変が可能であり、例えば四極電磁石を３つとすれば、ベータトロン関数の制御が容易となり、広いビームエネルギー幅に対応可能となる。また、上下流に軌道補正用電磁石を任意に配置すれば、セグメント単位で現地環境に合わせたビーム軸の微調整が可能となる。あるいは、スクリーンモニタを最上流や最下流に配置すれば、セグメント内のビーム挙動を詳細に把握することができる。
【００３１】
照射対象の深さによって輸送ビームのエネルギーは異なるため、それぞれの電磁石には輸送ビームのエネルギーに応じた最適な電流値があらかじめ設定される。その際、上下流の末端でベータトロン関数やディスパージョンとその変化率などのビームパラメータは等しくなるようセグメント内電磁石の電流値を互いに調整する。すなわち、セグメント２０は、両端における粒子線ビームの特性および断面形状がほぼ同一となるよう構成される。
【００３２】
このとき、上下流の末端での位相差を１８０度の整数倍とすることで、セグメントの個数によらず、常に照射装置末端での位相を一定とすることができる。もちろん、配置の自由度は落ちるものの、複数のセグメントを組み合わせた結果、照射装置末端で所定の位相となるよう設定してもよい。
【００３３】
図１に戻って説明を続ける。
散乱体１５は、加速器１３に直近のセグメント２０ａのさらに上流に設けられている。この散乱体１５は、ここではアルミニウムの薄板を用いるが、例えばアクリル板等の通過する粒子線ビームを多重散乱させるものであれば適宜採用される。
この散乱体１５に粒子線ビームが衝突すると、粒子は散乱体の材質・厚さに依存し、ある散乱角を持って散乱する。散乱前後では粒子の位置と運動量が変化する。散乱体が十分薄い場合は位置の変化は小さく無視でき、運動量のみ散乱前後で変化すると近似できる。
【００３４】
ここでは散乱後に粒子線ビームの直交方向ｘおよびｙにおけるそれぞれのエミッタンスを揃え、粒子線ビームの直交方向（ｘ、ｙ）でエミッタンスの異方性がなくなるよう散乱体の材質・厚さを設定する。さらに、粒子線ビームの直交方向（ｘ、ｙ）でベータトロン関数の異方性をなくせば、断面形状を略円形となる特性にすることができる。
【００３５】
あるいは、荷電粒子の分布に着目し、粒子線ビームの直交方向（ｘ、ｙ）における分布をガウス分布に揃え不均一さを解消することもできる。これにより、最上流に位置するセグメント２０ａの上流側の末端に、特性を揃え断面形状が略円形である粒子線ビームを導入することができ、後段のセグメントによって異なる高さレベルへも自在に輸送することができる。
【００３６】
図８に示すようにガントリ式の照射装置３０は、内部に治療スペース３８を有し回転駆動部（図示略）により回転軸３１を中心に回転変位するガントリ３２と、このガントリ３２に固定されるとともに分岐ライン２２（図３）の末端に継手３９を介して回転自在に設けられるビーム輸送系３３と、このビーム輸送系３３により輸送された粒子線ビーム４１をガントリ３２の半径方向から治療スペース３８に照射する照射ノズル３４と、患者３５を載置したベッド３６を移動させ治療スペース３８における位置及び方向を設定する移動制御部３７と、を備えている。
【００３７】
このように照射装置３０が構成されることにより、ガントリ３２の回転軸３１に沿って入力した粒子線ビーム４１の軌道を９０°曲げて、この回転軸３１に直交する任意の方向から、患者３５に照射することが可能になる。
本実施形態によれば、継手３９に接続するセグメント２０の末端を通過する粒子線ビームの直交方向（ｘ、ｙ）の特性に異方性がなく、断面形状が略円形であるために、ガントリ３２の回転に依存せず、一定のビーム品質が保たれる。
【００３８】
なお、本実施形態において複数の照射装置３０が全てガントリ式を配置した場合を例示しているが、これらの全て又は一部を固定式の照射装置に代えて配置することもできる。セグメント２０の両端で粒子線ビームの特性および断面形状がほぼ同一であるため、セグメント２０の末端に照射装置３０を配置する場合には、新たにビームラインの新規設計を行う必要がなく、ガントリ式と固定式との間に互換性が生まれ、配置の自由度が増す。また同様に、ビームラインの延長や新たな照射装置を設置するなど、増改築の際にも、セグメント２０の末端に追加で新たなセグメント２０や照射装置３０を配置すれば、ビームラインの新規設計を行う必要がなく、建設期間及びコストを抑制して容易に実現できる。
【００３９】
以上述べた少なくともひとつの実施形態の粒子線ビーム輸送システムによれば、両端において粒子線ビームの特性および断面形状がほぼ同一となるような複数のセグメントで構成されることにより、高品質なビームを容易に任意の場所へ輸送することを可能とする。よって、照射装置を収容する治療室が複数設けられた粒子線治療施設のビームライン設計、機器の設計製作、現地調整、並びに増改築を容易にし、建設期間及びコストを抑制することが可能となる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００４１】
１０…粒子線ビーム輸送システム、１１…収束電磁石、１２…偏向電磁石、１３…加速器、１４…出射デフレクタ、１５…散乱体、２０（２０ａ〜２０ｄ，２０ｐ，２０ｑ）…セグメント、２１…主ライン、２２…分岐ライン、３０（３０ａ〜３０ｄ）…照射装置、
３２…ガントリ、３３…ビーム輸送系、３４…照射ノズル、３５…患者、３６…ベッド、３７…移動制御部、３８…治療スペース、３９…継手、４１…粒子線ビーム、４２…断面形状、４３…スクリーンモニタ、５１…継鉄、５２…磁心、５３…励磁コイル。
【図１】
0006640480.tif 000002
【図２】
0006640480.tif 000003
【図３】
0006640480.tif 000004
【図４】
0006640480.tif 000005
【図５】
0006640480.tif 000006
【図６】
0006640480.tif 000007
【図７】
0006640480.tif 000008
【図８】
0006640480.tif 000009